(57)【特許請求の範囲】
【請求項１】
両端のランプソケット支持板にランプソケットが取付けられ開口部を有する略直方体状の器具本体と、この器具本体内に内蔵される反射板とからなる照明器具を包装する一枚の段ボール材からなる包装装置において、
前記包装装置は、
中央部に設けられ前記器具本体が載置される底面部と、
この底面部の長手方向両端に対向して立設される一対の端部緩衝体と、
これら端部緩衝体の外周面に巻き付けられ箱状に形成される前記底面部の幅方向に形成された一対の側面部と上部フラップ部とを備え、
前記端部緩衝体は、
前記底面部の長手方向両端部に対向して立設される一対のつま面部と、
当該つま面部の両側端から第１壁と第２壁と第３壁および第４壁とをそれぞれ連続形成し当該第３壁同士を当接させるとともに当該第４壁を当該つま面部の裏面に突き当てて筒状に折曲げ前記器具本体端面を保護する一対の器具本体端面緩衝体と、
前記つま面部の長手方向に第５壁と両側が先端に向けて内方に傾斜し当該傾斜部の先端隅部に引掛け凹部を有する第６壁とをそれぞれ連続形成しこれらを内方にＬ字形に折曲げ前記反射板端面を保護する一対のＬ字状の反射板抑えと、
前記反射板抑えの第５壁の両側上部から第７壁と第８壁および第９壁とをそれぞれ連続形成するとともに当該第８壁と第９壁に渡って幅方向に係止スリット孔を形成し、当該係止スリット孔を前記反射板抑えの引掛け凹部に引掛け係止しつつ第８壁をランプソケットの外側に配置し、第９壁を水平状態に折曲げ前記反射板抑えの下方両側で且つ器具本体のランプソケットの先端よりも外側に配置され相反方向に逆三角形状にそれぞれ形成され、当該第９壁上に反射板が載置される反射板受け部とから構成したことを特徴とする包装装置。
【発明の詳細な説明】
【０００１】
【発明の属する技術分野】
本発明は、例えば、天井に埋込み設置される略直方体状の天井埋込み形照明器具を包装する一枚の段ボール材からなる包装装置に関する。
【０００２】
【従来の技術】
従来、例えば、図９および図１０に示す包装装置が一般に知られている。
【０００３】
この包装装置は、図９に示すように、段ボール材からなる箱状の個装箱１と、この個装箱１の両端内にそれぞれ装着される一対の段ボール材からなる断面コ字状の端部緩衝板１０，１０と、個装箱の長手方向胴体部２内の幅方向にそれぞれ装着される一対の段ボール材からなるコ字状の中央当て板１５，１５と、器具本体内に装着されるとともに、当該器具本体内に収納される反射板２５の背面２６を受ける一対の段ボール材からなる断面略コ字状の反射板受け板３０，３０と、器具本体の両端内に装着されるとともに、当該器具本体内に収納される反射板２５の両端にそれぞれ装着され一対の段ボール材からなる断面コ字状の反射板抑え３５，３５とから構成している。
【０００４】
個装箱１は、対向して配置される一対の側板３，３と端板４，４とからなる筒状に形成された胴体部２と、当該胴体部端板４の下端および上端に形成された折り筋線５を介して形成された内フラップ７と、当該胴体部側板３の下端および上端に形成された折り筋線６を介して形成された外フラップ８とから構成している。
【０００５】
包装装置で包装される照明器具１８は、下方開口した開口部２０を有する箱形の器具本体１９と、当該器具本体内に内蔵される反射板２５とから構成している。
【０００６】
さらに、前記器具本体１９内の両端には、ランプソケット支持板２１，２１がそれぞれ取付けられ、当該ランプソケット支持板２１にはランプソケット２２，２２が対向して並列に着脱可能に装着されている。
【０００７】
つぎに、照明器具を包装装置で包装する手順を説明する。
【０００８】
予め、個装箱の胴体部２の下方に対向して設けられている一対の内フラップ７，７を内側にそれぞれ折曲げるとともに、当該内フラップに重ね合わせて一対の外フラップ８，８をそれぞれ内側に折曲げ、胴体部２の下方開口を塞ぐとともに、外フラップ８，８同士の突当部に沿うとともに端板４，４にかけてテープ９を貼り付ける。
【０００９】
それから、胴体部２の上部に対向して設けられている外フラップ８，８と内フラップ７，７とを外向きにそれぞれ折り曲げて個装箱１を半組立て状態にする。
【００１０】
最初に、個装箱１の両端内に端部緩衝板１０，１０を対向してそれぞれ装着する。それから、器具本体の開口部２０を上向きにするとともに、当該器具本体の幅方向両端に中央当て板１５，１５をそれぞれ装着しつつ、当該器具本体１９を端部緩衝板１０，１０の間に挿入し装着する。中央当て板１５，１５を使用したのは、半組立て状態の個装箱１に器具本体１９を装着する際、当該器具本体１９と個装箱１とが擦れて器具本体に傷が付くのを防止するためである。
【００１１】
つぎに、コ字状の反射板受け板３０，３０を背中合わせにし、器具本体１９内の長手方向中央の幅方向に装着する。それから、反射板の背面２６を反射板受け板３０，３０上に載置し、個装箱内に反射板を収納する。
【００１２】
最後に、一対の内フラップ７，７を内側にそれぞれ折曲げるとともに、一対の外フラップ８，８を内フラップに重ね合わせて折曲げ、胴体部２の上方開口を塞ぐとともに、図１０に示すように、外フラップ８，８同士の突当部に沿うとともに端板４，４にかけてテープ９ａを貼り付けることで包装を完了する。
【００１３】
【発明が解決しようとする課題】
上記のように従来の包装装置は、１個の個装箱と、２個の端部緩衝板と、２個の中央当板と、２個の反射板受け板および２個の反射板抑えとからなる、計９個の部品から構成している。
【００１４】
このため、部品点数が多く、包装コストが高くなるという問題があった。
【００１５】
しかも、使用後、これら包装部品を廃棄する際、多量に廃材が出るため、廃材処理に手間を要するという問題があった。
【００１６】
本発明は、上記の点に鑑みてなされたもので、包装コストが削減できるとともに、廃材処理も容易な包装装置を提供することを課題とする。
【００１７】
【課題を解決するための手段】
前記課題を達成するために、本発明の包装装置は、両端のランプソケット支持板にランプソケットが取付けられ開口部を有する略直方体状の器具本体と、この器具本体内に内蔵される反射板とからなる照明器具を包装する一枚の段ボール材からなる包装装置において、前記包装装置は、中央部に設けられ前記器具本体が載置される底面部と、この底面部の長手方向両端に対向して立設される一対の端部緩衝体と、これら端部緩衝体の外周面に巻き付けられ箱状に形成される前記底面部の幅方向に形成された一対の側面部と上部フラップ部とを備え、前記端部緩衝体は、前記底面部の長手方向両端部に対向して立設される一対のつま面部と、当該つま面部の両側端から第１壁と第２壁と第３壁および第４壁とをそれぞれ連続形成し当該第３壁同士を当接させるとともに当該第４壁を当該つま面部の裏面に突き当てて筒状に折曲げ前記器具本体端面を保護する一対の器具本体端面緩衝体と、前記つま面部の長手方向に第５壁と両側が先端に向けて内方に傾斜し当該傾斜部の先端隅部に引掛け凹部を有する第６壁とをそれぞれ連続形成しこれらを内方にＬ字形に折曲げ前記反射板端面を保護する一対のＬ字状の反射板抑えと、前記反射板抑えの第５壁の両側上部から第７壁と第８壁および第９壁とをそれぞれ連続形成するとともに当該第８壁と第９壁に渡って幅方向に係止スリット孔を形成し、当該係止スリット孔を前記反射板抑えの引掛け凹部に引掛け係止しつつ第８壁をランプソケットの外側に配置し、第９壁を水平状態に折曲げ前記反射板抑えの下方両側で且つ器具本体のランプソケットの先端よりも外側に配置され相反方向に逆三角形状にそれぞれ形成され、当該第９壁上に反射板が載置される反射板受け部とから構成したことを特徴とするものである。
【００１８】
上記の構成において、略直方体状の照明器具を包装する包装装置は、中央部に設けられ前記照明器具の器具本体を載置する底面部と、当該底面部の長手方向端部にそれぞれ形成した一対の端部緩衝体と、前記底面部の幅方向両側にそれぞれ折り筋線を介して前記端部緩衝体を巻付け箱状に形成する一対の側面部と上部フラップ部とを備え、前記端部緩衝体は、器具本体の両端面を保護する一対の器具本体端面緩衝体と、両端に対向して形成された器具本体端面緩衝体の上部にＬ字状に折り曲げ形成される反射板抑え間で器具本体内に収納された反射板の両端を保護する。
【００１９】
さらに、反射板抑えの両側下方に対向して形成された逆三角形に形成された一対の反射板受け部上に反射板の背面を載置して当該反射板を保護している。本発明に係る包装装置は、一枚の段ボール材からなる包装装置で照明器具の長手方向に加わる荷重を緩衝する機能を満たしている。
【００２０】
【発明の実施の形態】
以下、図１から図８を参照して本発明の実施の形態に係る包装装置を説明する。なお、従来技術と同一構成部品は同一番号を付して説明する。
【００２１】
図１は本発明の第１の実施の形態に係る包装装置の展開図を示すもので、本発明の包装装置は、中央部に設けられた矩形の底面部４０と、当該底面部の幅方向両側には、折り筋線６１，６１を介してそれぞれ形成された一対の矩形状からなる側面部４１，４１と、当該側面部の側端に形成された折り筋線６２を介してそれぞれ形成された一対の矩形からなる上部フラップ部４２，４２とを備えている。なお、側面部４１と上部フラップ部４２とは、底面部４０と同一長さに形成している。また、上部フラップ部は、一方の側面部から底面部と同一幅に形成されたものでもよい。
【００２２】
さらに、底面部４０の長手方向両端には、折り筋線６３，６３を介して一対の矩形状からなるつま面部４３，４３が形成している。なお、つま面部４３は、底面部４０と同一幅であるとともに、つま面部４３の高さは、側面部４１と同一幅に形成している。
【００２３】
前記つま面部４３の幅方向両端には、折り筋線６４，６５，６６，６７を介してそれぞれ筒状に折り曲げられる矩形状の第１壁４５と、矩形状の第２壁４６と、矩形状の第３壁４７と、矩形状の第４壁４８とが連続形成している。なお、第１壁と第２壁と第３壁と第４壁のそれぞれの高さは、つま面部の高さと同一高さに形成しているとともに、第１壁と第３壁とは、同一幅に形成している。
【００２４】
さらに、つま面部４３の長手方向には、折り筋線６８，６９を介してそれぞれ矩形状の第５壁４９と略台形状の第６壁５０とが形成され、当該第６壁５０の両側には、図２に示すように、先端に向けて内方に傾斜する傾斜部５５，５５を有し、当該傾斜部の先端隅部に引掛け凹部５６，５６がそれぞれ形成している。
【００２５】
それから、第５壁４９の両側上部から幅方向に折り筋線７０，７１，７２を介して矩形状の第７壁５１と、矩形状の第８壁５２と、矩形状の第９壁５３とがそれぞれ形成されるとともに、当該第８壁５２と第９壁５３にかけて幅方向に前記引掛け凹部５６に引掛け係止する係止スリット孔５７が穿設している。
【００２６】
Ａ部は、包装材である段ボールの中芯の方向を示すものである。
【００２７】
つぎに、本発明に係る包装装置の組立て手順を図３〜図５を参照して説明する。
【００２８】
第１ステップとして、図３に示すように、底面部４０の両側に形成された折り筋線６１，６２に沿って略湾曲に側面部４１，４１と上部フラップ部４２，４２とを上方に折り曲げる。
【００２９】
第２ステップとして、つま面部４３の左側にそれぞれ連続形成している第１壁４５と第２壁４６と第３壁４７および第４壁４８とを折り筋線６４，６５，６６，６７に沿って内側に折り曲げつつ、当該第４壁４８をつま面部４３に重ね合わせて筒状に折り曲げる。同様にして、つま面部４３の右側にそれぞれ連続形成している第１壁４５と第２壁４６と第３壁４７および第４壁４８とを折り筋線６４，６５，６６，６７に沿って内側に折り曲げつつ、当該第４壁４８をつま面部４３に重ね合わせて筒状に折り曲げる。この状態では、第３壁４７，４７同士が当接し、つま面部４３上に並列に形成された一対の筒状体からなる器具本体端面緩衝体８０，８０を形成する。
【００３０】
それから、底面部４０の両端に形成された一対の器具本体端面緩衝体８０，８０を折り筋線６３，６３に沿って（矢印方向）内方に折り曲げ、図４に示すように立設する。立設された器具本体端面緩衝体間の長さは、器具本体の長さと略同一に形成している。
【００３１】
第３ステップとして、つま面部４３の長手方向に折り筋線６８，６９を介して連続形成した第５壁４９と第６壁５０とを当該折り筋線６８，６９に沿って内側にＬ字状に折り曲げて反射板抑え８１を形成する。
【００３２】
第５壁４９と第６壁５０がＬ字状に折り曲げられた状態では、当該第５壁４９は、前記立設された器具本体端面緩衝体８０，８０の上端に当接しているとともに、下方に向けて垂直に折り曲げられた第６壁５０は、前記立設された器具本体端面緩衝体８０の内面から離間して平行に折り曲げられている。
【００３３】
さらに、対向して形成される反射板抑えの第６壁５０，５０間の長さは、反射板の長さと略同一に形成している。
【００３４】
第４ステップとして、図４のａに示すように、反射板抑え８１の側方に形成している第８壁５２と第９壁５３とをそれぞれ折り筋線７１，７２に沿って下方に略Ｌ字状に折り曲げる。
【００３５】
つぎに、図４のｂに示すように、第７壁５１を折り筋線７０に沿って下方に直角に折り曲げる。それから、図４のｃに示すように、第９壁５３を折り筋線７２に沿って前記第８壁５２と鋭角に折り曲げると、第８壁５２と第９壁５３とにかけて形成した係止スリット孔５７が内側に見える状態になる。
【００３６】
さらに、前記係止スリット孔５７を第６壁５０の先端隅部に形成した引掛け凹部５６に引掛けつつ、第７壁５１を折り筋線７０に沿って第６壁５０側端に形成した傾斜部５５に突き当て折り曲げると、図５に示すように、反射板抑え８１の下方両側に逆三角形に形成された反射板受け部８２，８２が形成される。
【００３７】
当該反射板受け部８２の第９壁５３は水平状態に折り曲げられ、当該水平状態に折り曲げられ第９壁５３，５３上には反射板の背面２６が載置される。
【００３８】
また、反射板受け部８２の第８壁５２，５２の内側には、器具本体の両端に対向して配置されたランプソケット２２，２２が位置する。
【００３９】
底面部の長手方向両端に対向して立設される一対の端部緩衝体９０は、つま面部４３と、器具本体端面緩衝体８０と、反射板抑え８１および反射板受け部８２とから構成される。
【００４０】
つぎに、本発明に係る包装装置を使用して照明器具を包装する手順を図６〜図８を参照して説明する。
【００４１】
照明器具１８は、図６に示すように、従来技術と同様に、下方開口した開口部２０を有する箱形の器具本体１９と、当該器具本体内に内蔵される反射板２５とから構成している。さらに、前記器具本体１９内の両端には、ランプソケット支持板２１，２１がそれぞれ取付けられ、当該ランプソケット支持板２１には、ランプソケット２２，２２が対向して並列に着脱可能に装着されている。
【００４２】
第１ステップとして、図６のａに示すように、器具本体１９の下方開口を上方に向けて当該器具本体１９の上面部１９ａを包装装置の底面部４０中央に載置する。
【００４３】
第２ステップとして、図６のｂに示すように、つま面部４３の両側に折り筋線を介して連続形成した第１壁４５と第２壁４６と第３壁４７および第４壁４８とをそれぞれ内方に折り曲げつつ第４壁４８をつま面部４３に重ね合わせて、当該つま面部４３上に並列に形成した一対の筒状体からなる器具本体端面緩衝体８０を形成する。
【００４４】
それから、図６のｃに示すように、つま面部４３を折り筋線６３に沿って上方に直角に立設し、器具本体の端面２３にそれぞれ突当て又は近接して配置する。
【００４５】
第３ステップとして、図６のｄに示すように、第６壁５０を折り筋線６９に沿って内側に水平に折曲げる。
【００４６】
さらに、図６のｅに示すように、第５壁４９の両側に連続形成している第７壁５１と第８壁５２および第９壁５３を折り筋線７０，７１，７２に沿って内側に折り曲げつつ、第８壁５２と第９壁５３にかけて幅方向に穿設された係止スリット孔５７を前記第６壁５０の先端隅部に設けられた引掛け凹部５６に引掛け係止して、当該第６壁５０の両端に逆三角形に形成された反射板受け部８２，８２を形成する。
【００４７】
それから、図６のｆに示すように、折り筋線６８に沿って第５壁４９を内側に水平に折曲げることにより、器具本体の両端にＬ字状に折曲げられた反射板抑え８１，８１と、並列に設けられたランプソケットの両側に位置して逆三角形の反射板受け部８２，８２が配置される。
【００４８】
それから、器具本体の両端内に対向して配置された反射板抑えの第６壁５０，５０の間に背面を下にして反射板２５を挿入し、当該反射板の背面２６両端を反射板受け部の第９壁５３，５３上に載置する。
【００４９】
第４ステップとして、図６のｇに示すように、底面部４０の両側に連続形成された側面部４１，４１と上部フラップ部４２，４２を折り筋線６１，６２に沿って内側に折り曲げ、器具本体端面緩衝体８０，８０の外周面を覆う。
【００５０】
最後に、図８に示すように、上部フラップ部４２，４２同士の突き当て部に沿うとともにつま面部にかけてテープ９ａを貼付け包装を完成する。
【００５１】
つぎに上記実施の形態に係る包装装置の作用を説明する。
【００５２】
略直方体状の照明器具を包装する包装装置は、中央部に設けられ前記照明器具の器具本体を載置する底面部と、当該底面部の長手方向端部にそれぞれ立設形成した端部緩衝体９０，９０と、前記底面部の幅方向両側にそれぞれ折り筋線を介して前記端部緩衝体を巻付け箱状に形成する一対の側面部と上部フラップ部とを備え、箱状に形成された包装装置の両端に対向して形成された端部緩衝体９０は、器具本体の端面を保護する一対の器具本体端面緩衝体８０，８０と、当該器具本体端面緩衝体の上部にＬ字状に折り曲げ形成された反射板抑え８１，８１間で器具本体内に収納された反射板の両端を保護する。
【００５３】
さらに、反射板抑え８１の両側下方に対向して形成された逆三角形の反射板受け部８２，８２上に反射板の背面を載置し当該反射板が器具本体から保護している。
【００５４】
器具本体の側面は、包装装置の一対の側面部と上部フラップ部とを巻き付け包装されることから、従来技術で使用した中央当て板を削減することができる。
【００５５】
本発明に係る包装装置は、一枚の段ボール材から製作されているので、包装に要する部品を最小にでき、それに伴い照明器具を低コストで包装できる。さらに、その廃材処理も容易にできる。
【００５６】
【発明の効果】
以上詳記したように本発明によれば、一枚の段ボール材からなる包装装置で、照明器具の長手方向に加わる荷重を緩衝する機能を満たしていることから、包装に要する部品を最小にでき、それに伴い照明器具を低コストで包装できる。
【００５７】
さらに、その廃材処理も容易にできるという効果を奏する。
【図面の簡単な説明】
【図１】本発明の第１実施の形態に係る包装装置を示す展開図。
【図２】同第１実施の形態に係る包装装置の端部を示す拡大展開図。
【図３】同第１実施の形態における包装装置の組立て手順を示す斜視図。
【図４】同第１実施の形態における包装装置の組立て手順を示す斜視図。
【図５】同第１実施の形態における包装装置の組立て手順を示す斜視図。
【図６】同第１実施の形態における包装装置を使用して照明器具を包装する状態を示す斜視図。
【図７】同第１実施の形態における包装装置を使用して照明器具を包装する状態を示す側面断面図。
【図８】同第１実施の形態における包装装置を組立てた外観を示す斜視図。
【図９】従来技術に係る包装装置で照明器具を包装した状態を示す分解斜視図。
【図１０】従来技術に係る包装装置を組立てた外観を示す斜視図。
【符号の説明】
１８…照明器具，１９…器具本体，２０…器具本体の開口部，２１…ランプソケット支持板，２２…ランプソケット，２３…器具本体端面，２５…反射板，４０…底面部，４１…側面部，４２…上部フラップ部，４３…つま面部，４５…第１壁，４６…第２壁，４７…第３壁，４８…第４壁，４９…第５壁，５０…第６壁，５１…第７壁，５２…第８壁，５３…第９壁，５５…傾斜部，５６…引掛け凹部，５７…係止スリット孔，８０…器具本体端面緩衝体，８１…反射板抑え，８２…反射板受け部，９０…端部緩衝体。
【図１】
0003796940.tif 000002
【図２】
0003796940.tif 000003
【図３】
0003796940.tif 000004
【図４】
0003796940.tif 000005
【図５】
0003796940.tif 000006
【図６】
0003796940.tif 000007
【図７】
0003796940.tif 000008
【図８】
0003796940.tif 000009
【図９】
0003796940.tif 000010
【図１０】
0003796940.tif 000011